(57)【要約】【課題】鳥獣忌避装置について、低コストで優れた忌避機能を発揮できるようにする。【解決手段】支柱５０の先端側に固定された状態で本体ケーシング２Ａに内装した発光部５を駆動して所定のエリアを照明する外灯であって、少なくとも忌避音出力部６Ａを有して所定の鳥獣に忌避行動を起こさせる所定の動作を行う鳥獣忌避装置と、電子的制御手段としてのＣＰＵ１０Ａを有して前記鳥獣忌避装置の駆動を自動的に制御する制御装置とを本体ケーシング２Ａに備えており、照明機能に加えて鳥獣忌避機能を発揮することを特徴とする鳥獣忌避装置付外灯とした。【選択図】図１
2014042482.tif 000002
【特許請求の範囲】
【請求項１】
支柱の先端側に固定された状態で本体ケーシングに内装した発光手段を駆動して所定のエリアを照明する外灯において、少なくとも忌避音出力手段を有して所定の鳥獣に忌避行動を起こさせる所定の動作を行う鳥獣忌避装置と、電子的制御手段を有して前記鳥獣忌避装置の駆動を自動的に制御する制御装置とを前記本体ケーシングに備えており、照明機能に加えて鳥獣忌避機能を発揮することを特徴とした鳥獣忌避装置付外灯。
【請求項２】
前記鳥獣忌避装置は、所定の鳥獣に忌避行動を起こさせる忌避音を出力する忌避音出力手段のほかに、前記本体ケーシングの上部に乗った鳥獣の身体に所定の刺激を直接的に与える身体刺激手段を有しており、聴覚による刺激に該刺激とは異なる種類の身体的な刺激を加えることで前記忌避行動を促進させる、ことを特徴とする請求項１に記載した鳥獣忌避装置付外灯。
【請求項３】
前記身体刺激手段の駆動は、前記忌避音出力手段による出力開始時点から所定の時間が経過してから開始される、ことを特徴とする請求項２に記載した鳥獣忌避装置付外灯。
【請求項４】
前記身体刺激手段は、前記本体ケーシングの上部で鳥が両足を載せて留まれる形状の足場として設けられ、載せた前記両足が各々別個に触れながら両者間で電位差を生じるように配置された１対の電極を有しており、所定のセンサで前記足場に鳥が留まったことを検知した前記制御装置が、所定のタイミングで前記一対の電極間に所定レベルの電位差を与えて前記鳥の身体に電流を流す制御を実行する、ことを特徴とする請求項２または３に記載した鳥獣忌避装置付外灯。
【請求項５】
前記身体刺激手段は、前記本体ケーシングの上部で鳥が両足を乗せて留まれる形状の足場に付設され、乗せた前記両足の少なくともいずれかの指を前記足場の表面との間で挟み込んで拘束する動作及び前記拘束を解除する動作を実施可能に設けてなる足挟み部材を有しており、所定のセンサで前記足場に鳥が留まったことを検知した前記制御装置が、所定のタイミングで前記足挟み部材を動作させるアクチュエータを駆動させ、前記鳥を所定の時間だけ前記足場に拘束する、ことを特徴とする請求項２または３に記載した鳥獣忌避装置付外灯。
【請求項６】
前記忌避音出力手段は、音声放射面を有した忌避音発生器を有し、該忌避音発生器が前記音声放射面を下向きまたは斜め下向きにして前記本体ケーシング内に配置されており、その音声放射方向の延長線上に配置した反射板で音声を反射して目的とする方向に忌避音を放射する、ことを特徴とする請求項１，２，３，４または５に記載した鳥獣忌避装置付外灯。
【請求項７】
前記反射板は、その向きが手動又は／及び自動にて変更可能に前記本体ケーシング内で軸支されており、忌避音放射方向の変更動作が可能とされている、ことを特徴とする請求項６に記載した鳥獣忌避装置付外灯。
【請求項８】
前記発光手段の点灯開始及び点灯終了のタイミングを検出するための光量センサが設けられており、該光量センサは前記本体ケーシング上部の上面所定位置で上向きに配置されて前記本体ケーシング上部に鳥獣が乗ったことを検出するセンサを兼ねており、前記制御装置が前記光量センサの検出信号を基に所定の時間内で所定レベル以上の光量低下を検知した場合に前記本体ケーシング上部に鳥獣が乗っていると判定する、ことを特徴とする請求項４，５，６または７に記載した鳥獣忌避装置付外灯。
【請求項９】
前記忌避音発生手段による忌避音の出力は、所定のセンサで対象鳥獣を検出した場合に実行する設定に加え、クロック機能又は日照量の検出結果を基準としながら対象鳥獣の行動パターンに応じた所定の時間帯に限定して実行する設定、または前記両設定による２つの条件を組み合わせた設定が可能とされている、ことを特徴とする請求項１，２，３，４，５，６，７または８に記載した鳥獣忌避装置付外灯。
【請求項１０】
前記制御装置は、前記発光手段による照明中に前記鳥獣忌避装置を駆動させる際に、所定のタイミングで所定時間だけ消灯する制御を実行する、ことを特徴とする請求項１，２，３，４，５，６，７，８または９に記載した鳥獣忌避装置付外灯。
【発明の詳細な説明】
【技術分野】
【０００１】
本発明は、鳥獣に忌避行動を起こさせる装置を外灯に一体的に設けた鳥獣忌避装置付外灯に関する。
【背景技術】
【０００２】
近年、鳥や獣が農地・工場・駐車場等の所定のエリア・施設に侵入して活動することによる被害が増加している。殊に、市街地では鳥類による被害が多く、例えば駐車場の車や出荷待ちで屋外に置いてある工業製品等をカラスがいたずらして傷つける被害が報告されており、また、市街地の街路樹にムクドリの大群が集合して騒音公害や糞害を発生させるという事例も知られている。
【０００３】
斯かる問題に対し、例えば特開２００１−１２０１５８号には、特定の動物に忌避行動を起こさせる音波（忌避音）を出力してその動物を特定のエリアから追い出したり近寄せないようにしたりする鳥獣忌避装置が提案されている。しかし、この装置の場合、鳥獣忌避装置のための新たな設置場所の確保が必要になり、また、対象エリアが広いケースではそのエリアをカバーする電力供給ラインの設置が必要になるため、設置コストが過大になりやすいという難点がある。
【０００４】
これに対し、例えば特開平１０―２８５１１号公報にも記載されているように、外灯の上部に鳥獣忌避手段を付設する方式の鳥獣忌避装置も知られている。この装置の場合、対象エリアに外灯が設置してあるケースでは、その外灯の上部に取り付けるだけで設置作業が完了することから、新たな設置場所を要しないことに加え新たな電力供給ラインの設置も不要となるため、前述のものと比べて設置コストを低く抑えることができる。
【０００５】
ところが、カラスのように知能が高く記憶力に優れた鳥獣にあっては、上述のような忌避音や磁力を用いた鳥獣忌避手段によるによる対策だけでは、時間の経過により慣れが生じたり、音や磁力を感じるだけで実際には痛い目にあわないと見破ったりするケースも見られ、効果の持続期間が比較的短くなりやすいという指摘がある。
【０００６】
そこで、特開２０１２−１０５６２８号公報に記載されているように、忌避音に加えランプを発光させることで、接近した鳥獣に音と光で複合的に恐怖心を与える方式の装置も提案されている。しかしながら、音声による刺激やランプの光刺激が強く作用するのは所定の方向・エリアに限定されることから、鳥のように群れで多数飛来する対象や種の違いで存在する高さ・方向が様々に異なる対象には直接的に強く作用させることが困難であるため、忌避効果が不充分となりやすい。また、音と光の組み合わせにより当初は恐怖が増強されたとしても、実際の肉体的な苦痛はさほど大きくないため、慣れにより効果が減少することも懸念される。
【先行技術文献】
【特許文献】
【０００７】
【特許文献１】特開２００１−１２０１５８号
【特許文献２】特開平１０―２８５１１号公報
【特許文献３】特開２０１２−１０５６２８号公報
【発明の概要】
【発明が解決しようとする課題】
【０００８】
本発明は、上記のような問題を解決しようとするものであり、鳥獣忌避装置について、低コストで優れた忌避機能を発揮できるようにすることを課題とする。
【課題を解決するための手段】
【０００９】
そこで、本発明は、支柱の先端側に固定された状態で本体ケーシングに内装した発光手段を駆動して所定のエリアを照明する外灯において、少なくとも忌避音出力手段を有して所定の鳥獣に忌避行動を起こさせる所定の動作を行う鳥獣忌避装置と、電子的制御手段を有して前記鳥獣忌避装置の駆動を自動的に制御する制御装置とを前記本体ケーシングに備えており、照明機能に加えて鳥獣忌避機能を発揮することを特徴とする鳥獣忌避装置付外灯とした。
【００１０】
このように、鳥獣に忌避行動を起こさせる鳥獣忌避装置を、支柱先端に取り付ける外灯に一体的に設ける構成としたことにより、鳥獣忌避機能が必要なエリアと外灯による照明機能が必要なエリアが重なっている場合には、鳥獣忌避装置を配置するための場所・手段を新たに設ける必要が無くなるとともに、その電力供給ラインを新たに確保する必要性もほぼなくなることから、低コストでも優れた忌避機能を発揮しやすいものとなり、かつ、２つの機能を一体化した複合機としたことで、鳥獣忌避装置があることで外灯の照射光を妨げないとともに、外観上もすっきりとしたものとなる。
【００１１】
また、この鳥獣忌避装置付外灯において、その鳥獣忌避装置は、所定の鳥獣に忌避行動を起こさせる忌避音を出力する忌避音出力手段のほかに、その本体ケーシングの上に乗った鳥獣の身体に所定の刺激を直接的に与える身体刺激手段を有しており、聴覚による刺激にこれとは異なる種類の身体的な刺激を加えることで前記忌避行動を促進させる、ことを特徴としたものとすれば、音声による作用に異なるタイプの身体的な苦痛や不快感による刺激が加わることで相乗的な忌避効果が期待できるものとなる。
【００１２】
この場合、その身体刺激手段の駆動は、忌避音出力手段による出力開始時点から所定の時間が経過してから開始されることを特徴としたものとすれば、忌避音による経験と身体的刺激による経験が結びついて強い恐怖の経験として明確に記憶されやすくなることから、対象鳥獣を忌避させる学習効果の点で極めて優れたものとなり、装置を見るだけで或いは忌避音を聞くだけで強い恐怖心が蘇り、これに接近することを確実に回避させる効果が期待できる。
【００１３】
さらに、上述した身体刺激手段を備えた鳥獣忌避装置付外灯において、その身体刺激手段は、前記本体ケーシングの上部で鳥が両足を載せて留まれる形状の足場として設けられ、載せた両足が各々別個に触れながら両者間で電位差を生じるように配置された１対の電極を有しており、所定のセンサで前記足場に鳥が留まったことを検知した前記制御装置が、所定のタイミングで前記一対の電極間に所定レベルの電位差を与えて鳥の身体に電流を流す制御を実行する、ことを特徴としたものとすれば、簡易な構成で適度な苦痛と強い恐怖心を与えることができる。
【００１４】
或いは、その身体刺激手段は、前記本体ケーシングの上部で鳥が両足を乗せて留まれる形状の足場に付設され、乗せた両足の少なくともいずれかの指を足場の表面との間で挟み込んで拘束する動作及びその拘束を解除する動作を実施可能に設けてなる足挟み部材を有しており、所定のセンサで前記足場に鳥が留まったことを検知した前記制御装置が、所定のタイミングで前記足挟み部材を動作させるアクチュエータを駆動させ、前記鳥を所定の時間だけ前記足場に拘束することを特徴としたものとしても、前述と同様に簡易な構成で強い恐怖を与えることができる。
【００１５】
さらにまた、上述した鳥獣忌避装置付外灯において、その忌避音出力手段は音声放射面を有した忌避音発生器を有し、この忌避音発生器がその音声放射面を下向きまたは斜め下向きにして前記本体ケーシング内に配置されており、その音声放射方向の延長線上に配置した反射板で音声を反射して目的とする方向に忌避音を放射する、ことを特徴としたものとすれば、例えばムクドリの大群を忌避させる際に忌避音を上向きに放射するケースであっても、スピーカ等の忌避音発生器を上向きに配置しないで済むことから、これが雨に濡れて耐久性を損なう事態を回避することができる。
【００１６】
この場合、その反射板は、その向きが手動又は／及び自動にて変更可能に前記本体ケーシング内で軸支されており、忌避音放射方向の変更動作が可能とされていることを特徴としたものとすれば、例えば外灯よりも高い位置に出現する鳥と外灯よりも低い位置に出現する鳥獣に対し、各対象の出現時間に応じて最も有効な方向にて忌避音を放射することができる。
【００１７】
加えて、上述した身体刺激手段を備えた鳥獣忌避装置付外灯において、点灯開始及び点灯終了のタイミングを検出するための光量センサが設けられており、この光量センサは、前記本体ケーシング上部の上面所定位置で上向きに配置されて前記本体ケーシング上部に鳥獣が乗ったことを検出するセンサを兼ねており、所定の時間内で所定レベル以上の光量低下を検出した場合に、前記制御装置が前記本体ケーシング上部に鳥獣が乗っていると判定することを特徴としたものとすれば、本体ケーシング上部に鳥獣が乗ったことを検出するセンサを別個に配置する必要がなくなって、コストを一層低廉に抑えやすいものとなる。
【００１８】
また加えて、上述した鳥獣忌避装置付外灯において、その忌避音発生手段による忌避音の出力は、所定のセンサで対象鳥獣を検出した場合に実行する設定に加え、クロック機能又は日照量の検出結果を基準としながら対象鳥獣の行動パターンに応じた所定の時間帯に限定して実行する設定、または前記両設定による２つの条件を組み合わせた設定が可能とされている、ことを特徴としたものとすれば、音声出力時間を必要最小限に抑えて省電力を実現しながら装置の耐久性を確保することができ、かつ近隣への騒音問題も低減させることができる。
【００１９】
さらに加えて、上述した鳥獣忌避装置付外灯において、前記制御装置は、前記発光手段による照明中に前記鳥獣忌避装置を駆動させる際に、所定のタイミングで所定時間だけ消灯する制御を実行することを特徴としたものとすれば、鳥獣忌避装置の駆動に伴う恐怖心を、消灯による瞬間的な光量低下により一層増強させることができる。
【発明の効果】
【００２０】
鳥獣に忌避動作を起こさせる鳥獣忌避装置を外灯に一体的に設けた本発明によると、低コストでも優れた忌避効機能を発揮できるものとなる。
【図面の簡単な説明】
【００２１】
【図１】本発明における第１の実施の形態の縦断面図（一部斜視図）である。
【図２】図１の鳥獣忌避装置付外灯の機能ブロック図である。
【図３】図１の鳥獣忌避装置付外灯の機能を説明するための側面図（一部縦断面図）である。
【図４】図１の鳥獣忌避装置付外灯の応用例を示す部分拡大図である。
【図５】本発明における第２の実施の形態を示す縦断面図である。
【図６】（Ａ）は図５の鳥獣忌避装置付外灯において上向きに音波を放射させる場合、（Ｂ）は下向きに音波を放射させる場合の縦断面図である。
【発明を実施するための形態】
【００２２】
以下に、図面を参照しながら本発明を実施するための形態を説明する。
【００２３】
図１は、本発明における第１の実施の形態である鳥獣忌避装置付外灯１Ａの縦断面図を示している。この鳥獣忌避装置付外灯１Ａは対象鳥獣として主にカラスを想定しており、地上に立設した支柱５０の先端側に固定した状態で使用され、駐車場などのカラスによる悪戯が生じる可能性の高い場所で、鳥獣忌避装置によるカラスの忌避と外灯による照明の両方が必要なケースにおいて、極めて好適なものとなっている。
【００２４】
その構成は、底面側が開口した筺状の本体ケーシング（フード）２Ａに発光手段としてのＬＥＤ５ａを複数配列してなる基板４Ａが内装され、その底面側開口部には透明のカバー３が装着されている。また、支柱５０を経由した電力供給線が基板４Ａに接続されて電力が供給されるとともに、電子的制御手段としてのＣＰＵ１０Ａ等が制御装置を構成しており、ケーシング２Ａ上部に配置した光量センサ１１ｂの検出信号を基に昼夜の別を判断して自動的に点灯・消灯の制御を実行するようになっており、以上の構成部分は従来の外灯にも見られる周知のものである。
【００２５】
そして、本発明においては、斯かる一般的な外灯の構成に加え、忌避音出力手段としての音声出力部６Ａと、ケーシング２Ａ上部に乗った鳥に対しその位置で身体的な刺激を直接的に与える身体刺激手段である身体刺激部７Ａとを有して、これらで所定の鳥獣に忌避行動を起こさせるための動作を行う鳥獣忌避装置を構成しており、１つの外灯で照明機能と鳥獣忌避機能の両方を発揮する点を特徴としている。
【００２６】
即ち、本体ケーシング２Ａ下部の下面側には、金網２２を張った開口部に向かって斜め下向きに配置された忌避音発生器としてのスピーカ６ａが配設され、増幅手段であるアンプ６ｂとともに忌避音出力部６Ａを構成している。また、白抜矢印が指す部分斜視図に示すように、本体ケーシング２Ａの上部には、側面板２１ａ，２１ｂを斜め上向きに延長した先端部分で両者間を水平に渡すように配置され、鳥が両足を乗せて留まった状態で刺激付与手段として機能するバー状の足場７ａが配設されており、その駆動手段である駆動体７ｂとともに身体刺激部７Ａを構成している。
【００２７】
このように、支柱５０の先端側に取り付ける外灯に鳥獣忌避装置を一体的に設けてなる複合機としたことにより、鳥獣忌避装置を設置するために新たな設置場所を確保したり新たな電源を確保したりすることが不要になり、これらを別個に設ける場合と比べて、設置コストを格段に低く抑えることができる。また、これにより鳥獣忌避装置が外灯の光を遮る心配がないとともに外観的にもすっきりとしたものとなる。
【００２８】
尚、前述した足場７ａは横向き円柱状の部材であるが、その外周面は端から絶縁部７３、電極部７１、絶縁部７４、電極部７２、絶縁部７５で構成されており、これに鳥が留まった場合に、一方の足が電極部７１を掴み、他方の足が電極部７２を掴むような構造となっており、身体刺激部７Ａを駆動させることにより、この電極部７１と電極部７２間に所定の電位差（例えば７００〜１２００Ｖ）を所定時間（例えば１０ｍｓ）与えて、ショック死しない程度の電流を鳥の身体に流して、適度な苦痛と恐怖心を与えるようになっている。
【００２９】
このような構成の忌避音出力部６Ａと身体刺激部７Ａとで１つの鳥獣忌避装置を構成するものであるが、これらは所定の保護エリア内に鳥獣が侵入したのを検出する第１のセンサとしての焦電型赤外センサ１１ａと本体ケーシング２Ａ上端側に鳥が留まったのを検出する第２のセンサとしての光量センサ１１ｂとを有した鳥獣検出部１１の検出信号を基にして、制御装置のＣＰＵ１０Ａにより駆動制御されるようになっている。
【００３０】
身体刺激部７Ａにおいて鳥が足場７ａに留まることにより、通常は日照量から点灯・消灯のタイミングを検出するための第２のセンサである光量センサ１１ｂの上方が鳥の身体で遮られるが、その際にＣＰＵ１０Ａは、所定の時間内における所定レベル以上の光量の低下（短時間での急激な低下）を示す検出信号から鳥の存在を判定して、忌避音出力部６Ａと身体刺激部７Ａの両方を駆動させる制御を実行する。
【００３１】
この場合、忌避音出力部６Ａを駆動開始してから数秒経過した後に身体刺激部７Ａを駆動させる設定とすることにより、忌避音を聞いた鳥が飛び去るか否か迷いながら滞在を継続している状態で電流刺激を与えることができ、忌避音の記憶と電流による苦痛の記憶が結びついた強い恐怖として記憶させることができ、忌避行動をとらせるための学習効果の観点において極めて有効なものとなる。これにより、それ以後はその忌避音を聞いたりその外灯を見たりするだけで、苦痛の記憶と恐怖心を蘇らせる結果となるため、忌避行動を確実に起こさせることができる。
【００３２】
図２は、鳥獣忌避装置付外灯１Ａの機能ブロック図を示している。本実施の形態の鳥獣忌避装置付外灯１Ａは、起電手段としてのソーラーパネル９ａ、ボックス９０に内装した蓄電手段としてのバッテリ９ｂおよびその制御手段としてのソーラーコントローラ９ｃを有してなる電源部９から電力を供給されるようになっており、また、前記ボックス９０は、通常は支柱５０の下部に付設されるものであるが、鳥獣忌避装置付外灯１Ａにおける各種設定・操作を行うための操作手段である操作パネル８ｂ、設定内容の表示手段である表示パネル８ｂを有した操作部８が内装されている。
【００３３】
また、この鳥獣忌避装置付外灯１Ａは、上述したように焦電型赤外センサ（第１センサ）１１ａと光量センサ（第２センサ）１１ｂを有した鳥獣検出部１１、スピーカ６ａとその増幅器であるアンプ６ｂを有した忌避音出力部６、刺激付与手段である足場７ａとその駆動体７ｂを有した身体刺激部７Ａ、発光手段である複数のＬＥＤ５ａとその駆動体５ｂを有した発光部５を備えており、この忌避音出力部６Ａと身体刺激部７Ａとで鳥獣忌避装置を構成している。
【００３４】
そして、鳥獣検出部１１による出力信号が、制御装置のＣＰＵ１０Ａに入力され、その信号を基にして発光部５、忌避音出力部６Ａ、身体刺激部７Ａの駆動制御を実行するようになっている。尚、忌避音出力部６Ａが出力する忌避音は、対象鳥獣に応じた複数種類の音声データが記憶手段としてのメモリ１２に記憶されており、その音声信号が忌避音出力部６Ａのアンプ６ｂに入力されてスピーカ６ａから出力される。また、その忌避音としては、対象鳥獣が忌み嫌う人工音のほか、天敵声・威嚇声、さらには対象鳥獣の悲鳴声・警戒声が想定される。
【００３５】
図３を参照しながら、対象鳥獣がカラスの場合における本実施の形態による動作について説明する。カラスは知能が高く用心深い鳥であり、降りたいと思う目的の場所については、電柱や樹木等の高い位置に留まっていったん安全確認を行ってから降りる習性がある。例えば、保護エリアＡが駐車場の駐車スペースである場合、図示しない車に興味を持ったカラス１００は、その近くで最も高い場所になる支柱５０先端側の鳥獣忌避装置付外灯１Ａの上端部分にある足場７ａに留まってから安全確認を行う。
【００３６】
このとき、足場７ａの付近に配置した光量センサ１１ｂの上方がカラス１００の身体で遮られるため、検出している光量が短時間で急激に低下する。すると、これを検知したＣＰＵ１０Ａは、カラス１００が足場７ａに留まっていると判断して、忌避音出力手段６Ａを駆動させてスピーカ６ａからカラスの嫌う忌避音を出力させる。
【００３７】
忌避音が出力されても、これを聴いたカラス１００がそのまま留まる場合がある。そこで、忌避音出力開始から数秒経過後に、ＣＰＵ１０Ａは身体的刺激手段７Ａを駆動させて、足場７ａの図示しない電極部７１，７２間に電位差を与えるように通電して、カラス１００の身体に電流を流すことにより身体的な刺激を与えるように制御を実行する。
【００３８】
即ち、カラスは忌避音効果で瞬時に反応して飛び立つのが通常であるが、カラスの個体差や慣れによりそのまま留まり続けるカラスも現れることがあり、また、留まっていても何も起きないことで逃げる必要がないと学習することケースや、このようなカラスを他のカラスが見ることで同様に学習してしまうケースも想定されることから、そのままでは忌避音効果が次第に減弱すると考えられている。そこで、忌避音の出力中に電流による身体的刺激を組み合わせることで、忌避音の経験と身体的苦痛の経験が結びつけられた状態で強い恐怖の経験として確実に記憶させることが可能となる。
【００３９】
尚、忌避音の出力と身体的刺激が同時の場合は両者が別物として記憶されてしまう畏れがあるため、忌避音の出力開始時点から数秒（１〜１０秒）遅らせて身体的な刺激を与える制御とすることにより、両者の記憶を強く結びつけることが可能となって学習効果（洗脳効果）に優れたものとすることができる。さらに、電流刺激を受けることでカラスは悲鳴声を出しながら逃げることになるが、その状況を見た他のカラスも恐怖心を覚え、その時に聞こえていた忌避音と恐怖の体験が結びついて強い記憶として残る効果が期待できる。
【００４０】
このような経験をしたカラスは、次に同じ忌避音を聴くだけで逃避行動を起こすようになり、かつ鳥獣忌避装置付外灯１Ａの設置場所にも近寄れなくなる。尚、図のように起電手段としてソーラーパネル９ａを用いたことで、商用電源から延ばした電源ラインを確保する必要がなくなるとともに、省エネにも優れたものとなることは言うまでもない。またこの場合、ソーラーパネル９ａに対する日照量の変動に伴う起電力の変動を利用して、昼夜の別の判断材料に使用することも可能である。
【００４１】
図４は、前述した実施の形態の応用例を示す部分側面図である。この応用例では、鳥獣忌避装置付外灯１Ａにおける身体刺激部７Ａを除いた部分の構成は共通しているが、電流を使用する身体刺激部７Ａの代わりに、電極のない足場７ｃに留まった鳥の足の指を、足場７ｃ外周面と足挟み部材であるバー７ｆの先端側との間に挟み込んで、留まった鳥を所定時間拘束する機能を発揮する身体刺激部７Ｂを備えている点を特徴としている。
【００４２】
この応用例においても、鳥が留まったことを検知する方式は前述と同様であり、忌避音の出力開始時点から所定時間遅れて駆動させることが好ましい点も同様である。即ち、足場７ｃに鳥（カラス）が留まったことを光量センサ１１ｂで検知したＣＰＵ１０Ａが、所定のタイミングでアクチュエータ７ｄを駆動させ、これにリンクして軸７ｅで軸支されたバー７ｆの先端側を持ち上げることにより、鳥の指を足場７ｃとの間に挟み込んで拘束し、所定の時間経過後にアクチュエータ７ｄの駆動を停止させることでバー７ｆの先端側が自重により下降して指を開放し、拘束を解除するようになっている。
【００４３】
このように、留まった鳥の指を怪我しない程度の圧力で挟み込むことにより、足場７ｃに足を固定して鳥が飛び立つのを拘束する結果となるが、前述の電流を与える場合と比べて直接的に与える苦痛は小さいものの、拘束される不快感・恐怖感は電流の場合に劣らないことが想像されるため、電流による身体的刺激の場合と同等の学習効果が期待できる。
【００４４】
図５は、本発明における第２の実施の形態である鳥獣忌避装置付外灯１Ｂを縦断面図で示している。この実施の形態では、対象鳥獣として主にムクドリを想定した構成となっている。即ち、ムクドリは夕暮れになると街路樹などの比較的高い樹木に大群となって集合するケースが多いところ、これを忌避音で追い払うためには、スピーカ等の音声発生器の音声放射面を上又は斜め上向きに配置する必要があるため、音声発生器が雨水で濡れて耐久性が損なわれるという問題があった。
【００４５】
そこで、本実施の形態は斯かる問題を解決することを目的としたものとなっている。この鳥獣忌避装置付外灯１Ｂは、本体ケーシング２Ｂの金網２３を張った音声放射用の開口部が上面側にも設けられているが、音声発生器であるスピーカ６ａは斜め下向きに基板４Ｂに固定された状態で本体ケーシング２Ｂに内装され、その音声放射方向の延長線上には反射板６０が配置されており、放射した忌避音が反射板６０で反射されてムクドリの存在する方向（上向き）に放射される点を特徴としている。
【００４６】
これにより、スピーカ６ａは前記開口部を介して侵入した雨水に濡れない位置・向きを確保することができ、その耐久性を損なう心配のないものとなっている。また、その反射板６０は、中央部分で横向きに配置された軸６０ａで軸支されてその反射方向を仰角方向に沿って変更可能とされており、図示しないアクチュエータをＣＰＵ１０Ｂが駆動制御することにより、所望の向きに変更・調整できるようになっている。
【００４７】
このような構成を採用したことで、図６（Ｂ）に示すように、夕暮れ時に鳥獣忌避装置付外灯１Ｂよりも高い位置の樹木に集合したムクドリに向かって忌避音を放射する状態の反射板６０の向きと、図６（Ｃ）に示すように日中に鳥獣忌避装置付外灯１Ｂよりも低い位置の保護エリアに侵入したカラス等の鳥獣に向かって忌避音を放射する状態の反射板６０の向きとの間で、放射方向を自動的に変更することができるようになる。また、反射板６０を回転駆動させながら忌避音を出力した場合は、忌避音を広範囲に放射できるとともに音の向きが連続的に変動・反射・共鳴することにより対象鳥獣に与える恐怖感を増幅させる効果も期待できる。
【００４８】
以上の構成に加え、ムクドリのように夜行性の天敵から身を守るため比較的明るい場所を好む鳥獣を忌避対象にするケースでは、発光部５で点灯している状態において忌避音を出力する際に、発光部５を消灯する制御を組み合わせる制御を実行することにより、前述した電流や足の拘束による身体的刺激を組み合わせる場合と同様に、忌避効果の増強が期待できるものとなる。
【００４９】
即ち、特定の樹木に大群で集合しているムクドリは、忌避音の放射により飛び立つのが通常であるが、これも前述したカラスの場合と同様に次第に慣れが生じることが懸念される。そこで、忌避音の出力と消灯を組み合わせる（同時が好ましい）ことで、大群のムクドリの間に集団的なパニックを引き起こすことができ、忌避効果を増強させるとともに忌避音とパニックの経験が結びついて強い恐怖として記憶させることができる。
【００５０】
そのため、前述と同様に忌避音を聴くだけで忌避行動を起こさせたり、その場所に近づけない状態にしたりすることが可能となる。尚、このように消灯を組み合わせる場合、消灯動作に先立って、付近にいる人に対し数秒後に消灯があることを事前に知らせるアナウンスや合図を組み合わせる制御とすることが、安全上好ましい。
【００５１】
また、上述した総ての実施の形態・応用例に共通して、忌避対象鳥獣の行動パターンに応じた時間帯のみに鳥獣忌避装置の駆動を限定する設定を可能とした構成とすることが推奨される。これにより、音声出力時間を必要最小限に抑えて省電力を実現しながら装置（スピーカ等）の耐久性を確保することができ、併せて近隣に対する騒音問題を低減することもできる。
【００５２】
この場合、設定した時間帯は無条件で駆動し続ける制御のほか、実際に駆動させるためには予め設定した時間帯であることに加え、忌避対象鳥獣が保護エリアに侵入したことを所定のセンサで検出したことを条件に駆動させる制御の設定を可能とすることで、一層電力消費量の低減に有効なものとなる。
【００５３】
尚、上述した各実施の形態及び応用例を適宜組み合わせることで各特徴部分による機能を相加的に各々発揮可能であることは言うまでもない。また、上述した実施の形態においては、忌避対象鳥獣としてカラスとムクドリを主に想定した場合を説明したが、本発明はこの対象に限定されるものではなく、他の鳥類、他の獣にも使用することができ、同様の効果が各々期待できるものである。
【００５４】
さらに、音声発生器としてスピーカのほかピエゾフィルム等の他のデバイスも使用することができ、鳥獣検出手段としてエリア侵入対策用にドップラーセンサ、装置上の検出に重量センサを使用することもできる。さらにまた、鳥獣の検出から所定時間遅らせて電流刺激を与えるための遅延手段として、高圧電流発生回路の構成においてコンデンサ蓄電を利用するものとし、その昇圧時間を３〜１０秒で規定電圧に達して出力する方式としても良い。
【００５５】
以上述べたように、鳥獣忌避装置について、本発明により低コストでも優れた忌避機能を長期間に亘って発揮できるようになった。
【符号の説明】
【００５６】
１Ａ，１Ｂ  鳥獣忌避装置付外灯、２Ａ，２Ｂ  本体ケーシング、５  発光部、５ａ  ＬＥＤ、６Ａ，６Ｂ  忌避音出力部、６ａ  スピーカ、６ｂ  アンプ、７Ａ，７Ｂ  身体刺激手段、７ａ，７ｃ  足場、７ｂ  駆動体、７ｆ  バー、９ａ  ソーラーパネル、９ｂ  バッテリ、１０Ａ，１０Ｂ  ＣＰＵ、１１  鳥獣検出部、１１ａ  焦電型赤外センサ、１１ｂ  光量センサ、５０  支柱、６０  反射板、７１，７２  電極部、１００  カラス
【図１】
2014042482.tif 000003
【図２】
2014042482.tif 000004
【図３】
2014042482.tif 000005
【図４】
2014042482.tif 000006
【図５】
2014042482.tif 000007
【図６】
2014042482.tif 000008